(57)【特許請求の範囲】
【請求項１】
針シリンダ（２）の上端に同軸的に固定されているシンカ環（１）と、該シンカ環（１）の上方領域に面するシンカキャップ（３）とを備えており、前記シンカ環（１）は前記シンカキャップ（３）に対して自軸（１ａ）回りに回転可能であり、前記シンカ環（１）内には複数のラジアルスロット（４）が形成されており、該ラジアルスロット（４）は夫々、少なくとも一つのヒール（５ａ）を有したシンカ（５）を滑動可能に収容しており、該ヒール（５ａ）は対応するラジアルスロット（４）から上方へ突出しており、前記シンカ環（１）の上方領域に面し前記シンカキャップ（３）に連結されたシンカ駆動カム（６）を係合させることが可能である、靴下類用の円形編機におけるシンカ選択装置において、
前記シンカ環（１）の軸（１ａ）から遠ざかる方向へ向いたラジアルスロット（４）の端に面する選択部（１０）を備えており、
該選択部（１０）は、前記シンカ環（１）の軸（１ａ）に略平行に延びた細長い形状を有し、該選択部（１０）の下端は、前記シンカキャップ（３）に固定されている支持環（１３）の内円周上に位置するシート（１２）内に回転可能に結合された円形形材を有し、該シート（１２）内にシンカ環（１）の軸（１ａ）回りに円周上を滑動可能に収容されており、該選択部（１０）は下端近傍に配置されている軸（１０ａ）回りに該シンカ環（１）のラジアル面上を作動位置と非作動位置との間で揺動することができ、また、非作動位置にあるか又は作動位置にあるかに応じて各ラジアルスロット（４）に沿った前記シンカ（５）の動きを生じさせるべく、シンカ環（１）のラジアルスロット（４）内に夫々配置されており、前記選択部（１０）と対応するシンカ（５）との間に介装されている押出し部（２０）を用いて各シンカ（５）に接続されており、
該押出し部（２０）は、シンカ環（１）の対応するラジアルスロット（４）から上方へ突出し、シンカ環（１）の上方領域に面し前記シンカキャップ（３）に連結された押出し部駆動カム（２１）を係合させることが可能なヒール（２０ａ）を有しており、
シンカ環（１）の側面に面しており、前記選択部（１０）を非作動位置から作動位置へ移動させるべく前記選択部（１０）を命令により係合させることが可能な選択駆動部（１１）が設けられていることを特徴とする装置。
【請求項２】
前記選択部（１０）は、上端部の押出し部（２０）へ向いた側に該押出し部（２０）を押圧するための突起を有していることを特徴とする請求項１に記載の装置。
【請求項３】
前記押出し部駆動カム（２１）は、前記押出し部（２０）に作用する選択部（１０）が作動位置にあるか又は非作動位置にあるかに応じて押出し部（２０）のヒール（２０ａ）に選択的に係合可能な第１通路及び第２通路を画定するように構成してあることを特徴とする請求項１又は２に記載の装置。
【請求項４】
前記押出し部（２０）は、シンカ環（１）の軸（１ａ）に向けて突出しており対応するラジアルスロット（４）の底部と対応するシンカ（５）の基部との間に配置されている部分を有していることを特徴とする請求項１乃至３に記載の装置。
【請求項５】
前記押出し部（２０）は略Ｌ字型であり、Ｌ字型の一方のアーム（２０ｂ）は対応するラジアルスロット（４）の底部上に位置しており、Ｌ字型の他方のアーム（２０ｃ）は対応するラジアルスロット（４）の底部から突出し対応する選択部（１０）に面していることを特徴とする請求項１乃至４の何れかに記載の装置。
【請求項６】
前記押出し部（２０）の前記ヒール（２０ａ）は上方へ向けて先細る形状を有していることを特徴とする請求項１乃至５の何れかに記載の装置。
【請求項７】
前記選択部（１０）は、前記シンカ環（１）の軸から遠ざかる方向へ向いた側に、選択部（１０）を非作動位置から作動位置へ移動させるか又は選択部（１０）を非作動位置に保持すべく前記選択駆動部（１１）により係合／非係合されることが可能な少なくとも一つの選択ヒール（１５）を有していることを特徴とする請求項１乃至６の何れかに記載の装置。
【請求項８】
隣接する選択部（１０）は相異なる高さに配置された選択ヒール（１５）を有しており、前記選択駆動部（１１）には前記選択ヒール（１５）の高さに適合するように相異なる高さに配置された選択レバー（１６）が設けられており、該選択レバー（１６）は対応する選択ヒール（１５）と干渉／非干渉すべく命令により移動することができることを特徴とする請求項１乃至７の何れかに記載の装置。
【請求項９】
前記押出し部駆動カム（２１）は、押出し部のヒールの前記第１通路に沿って配置されており前記押出し部（２０）をシンカ環（１）の軸（１ａ）から遠ざかる方向へ移動させることにより対応する選択部（１０）を作動位置から非作動位置へ揺動させるべく前記押出し部（２０）のヒール（２０ａ）を係合させることが可能な少なくとも一つのリセットカム（３１）を備えていることを特徴とする請求項１乃至８の何れかに記載の装置。
【請求項１０】
糸供給用のフィード領域を通過するシンカ環（１）のラジアル面（４１）に対して略対称的に配置された、少なくとも二セットの押出し部駆動カム（２１）を備えていることを特徴とする請求項１乃至９の何れかに記載の装置。
【請求項１１】
前記選択駆動部（１１）は、シンカ環（１）及び針シリンダ（２）の自軸（１ａ）回りの両回転方向（４０，５０）に使用されることが可能な糸供給用のフィード領域に配置されていることを特徴とする請求項１乃至１０の何れかに記載の装置。
【発明の詳細な説明】
【技術分野】
【０００１】
本発明は靴下類を縫製する円形編機におけるシンカ選択装置に関する。
【背景技術】
【０００２】
例えばタオル編を用いて得られるレリーフパターンを形成するような単一シリンダ編機又は靴下類編機により特定の作業を行う際、非タオル編を形成する代わりに隣接する針とは異なる数本の針によってのみタオル地タイプの編目を形成すべく、隣接するシンカを相異なる方法で作動させるためにシンカを個々に選択可能にするという要望がある。
【０００３】
この要望を満たすために現在使用されている選択装置においては、従来のシンカとは異なる特定のシンカを使用する必要がある。
【０００４】
より詳細には、これらの選択装置の一つは略Ｌ字型の本体を備えたシンカを使用しており、Ｌ字型の一方のアームはシンカのシャンクをなしており、Ｌ字型の他方のアームはシンカ環の外側に配置されており選択歯を備えている。該選択歯は、シンカ環の側面に面しておりシンカが収容されているシンカ環の対応するラジアルスロットに沿ってシンカを様々に作動させる選択駆動部により、前記シンカがタオル編を形成する際に針と協動すべきか又は他の編目を形成するために針と協動すべきかに応じて係合／非係合することができる。
【０００５】
別タイプのシンカ選択装置においては、シンカ環のラジアル面上で揺動することが可能なシンカを使用する必要がある。該シンカには、シンカ環の対応するラジアルスロットの底部の方へ向いた側に一般的に選択歯が備えられており、該選択歯はシンカ環から下方へ突出しており、シンカ環の下方領域に面した選択駆動部により選択要求に応じて接触／非接触する。選択歯が選択駆動部により接触した場合、対応するシンカは上方揺動を行い、その結果、シンカ環の上方領域に面するシンカキャップにより支持されるシンカ駆動カムを係合させる。前記シンカが引上げられていない場合、即ち選択駆動部が選択歯に作用していない場合、シンカを係合させる他のカムによる駆動に対してシンカは様々な動作を行う。この方法においてはまた、シンカの多様な動きにより、タオル編を形成する際、又はその他の編目を形成する際に装置の針と協動すべくシンカを作動させることが可能となる。
【特許文献１】国際公開第０３／１００１４７Ａ１号パンフレット
【発明の開示】
【発明が解決しようとする課題】
【０００６】
これらのシンカ選択装置は、従来のシンカより高額である特別なシンカを必要とする欠点を有している。シンカは定期的に交換する必要のある装置の要素であるので、特別なシンカを使用する必要性により装置の運転経費は影響を受ける。
【０００７】
また、特別な揺動シンカの使用を必要とする装置の場合、装置が高駆動速度で稼動する場合にシンカの制御に問題が生じる。このタイプの装置においては、一般的にその稼動に必要とされる多くの他の要素により既に占められている装置において、シンカ環の下方に選択駆動部を位置決めする際にもまた問題が生じる。
【０００８】
本発明の目標は、実質的に従来のシンカを使用するにも拘らずシンカの個々の選択を行うことを可能とする、靴下類を縫製する円形編機におけるシンカ選択装置を提供することにより上述の問題を解決することにある。
【０００９】
この目標の範囲内で、本発明の目的は、装置上に容易に搭載され得る選択駆動部を使用することが可能な装置を提供することにある。
【００１０】
本発明の別の目的は、針シリンダの自軸回りの両回転方向においてシンカ選択を行うことを可能とする装置を提供することにある。
【００１１】
本発明の別の目的は、装置の高稼動速度においてもシンカ選択を極めて確実に行う装置を提供することにある。
【課題を解決するための手段】
【００１２】
この目標、並びに以下においてより明らかになる上述及びその他の目的は、針シリンダの上端に同軸的に固定されているシンカ環と、該シンカ環の上方領域に面するシンカキャップとを備えており、前記シンカ環は前記シンカキャップに対して自軸回りに回転可能であり、前記シンカ環内には複数のラジアルスロットが形成されており、該ラジアルスロットは夫々、少なくとも一つのヒールを有したシンカを滑動可能に収容しており、該ヒールは対応するラジアルスロットから上方へ突出しており、前記シンカ環の上方領域に面し前記シンカキャップに連結されたシンカ駆動カムを係合させることが可能である、靴下類用の円形編機におけるシンカ選択装置において、前記シンカ環の軸から遠ざかる方向へ向いたラジアルスロットの端に面する選択部を備えており、該選択部は、前記シンカ環の軸に略平行に延びた細長い形状を有し、該選択部の下端は、前記シンカキャップに固定されている支持環の内円周上に位置するシート内に回転可能に結合された円形形材を有し、該シート内にシンカ環の軸回りに円周上を滑動可能に収容されており、該選択部は下端近傍に配置されている軸回りに該シンカ環のラジアル面上を作動位置と非作動位置との間で揺動することができ、また、非作動位置にあるか又は作動位置にあるかに応じて各ラジアルスロットに沿った前記シンカの動きを生じさせるべく、シンカ環のラジアルスロット内に夫々配置されており、前記選択部と対応するシンカとの間に介装されている押出し部を用いて各シンカに接続されており、該押出し部は、シンカ環の対応するラジアルスロットから上方へ突出しておりシンカ環の上方領域に面し前記シンカキャップに連結された押出し部駆動カムを係合させることが可能なヒールを有しており、シンカ環の側面に面しており、前記選択部を非作動位置から作動位置へ移動させるべく前記選択部を命令により係合させることが可能な選択駆動部が設けられていることを特徴とするシンカ選択装置により達成される。
【発明を実施するための最良の形態】
【００１３】
図面を参照して、本発明に係る装置は、針シリンダ２の上端に同軸的に固定されているシンカ環１と、該シンカ環１の上方領域に面するシンカキャップ３とを備えた単一シリンダタイプの円形編機又は靴下類編機上に取付けられることを意図している。前記シンカ環１は、針シリンダ２の軸と一致する自軸１ａ回りに、針シリンダ２に固定された状態でシンカキャップ３に対して回転可能である。
【００１４】
シンカ環１内には複数のラジアルスロット４が形成されている。各ラジアルスロットはシンカ５を滑動可能に収容しており、該シンカ５には少なくとも一つのヒール５ａが備えられており、該ヒール５ａは、対応するラジアルスロット４から上方へ突出しており、シンカ環１の上方領域に面するシンカ駆動カム６を係合させることができる。該シンカ駆動カム６はシンカキャップ３に連結されておりシンカ５のヒール５ａのための通路を画定する。該通路は、シンカ環１がシンカキャップ３に対して、更にシンカ駆動カム６に対して自軸１ａ回りに回転する結果、シンカ５が、それ自体は公知の方法で編製品を形成する際に装置の針７と協動すべく対応するラジアルスロット４に沿って軸１ａに対して前後に動くことができるように成形されている。尚、シンカ駆動カム６は、それ自体は公知の方法で軸１ａに対するシンカ５の前後運動を制御すべく、シンカ５のヒール５ａへの作用に加え、シンカ５の背面５ｂへの作用も行うことができる。
【００１５】
本発明に係る装置は、各ラジアルスロット４に対して選択部１０を備えており、該選択部１０は、シンカ環１の軸１ａから遠ざかる方向へ向いたラジアルスロット４の端に面している。該選択部１０は、前記シンカ環１のラジアル面上を非作動位置と作動位置との間で揺動することができる。選択部１０は、以下においてより明らかになるように、該選択部１０が非作動位置にあるか又は作動位置にあるかに応じて各ラジアルスロット４に沿った前記シンカ５の動きを生じさせるべく、各シンカ５に接続されている。本発明に係る装置は更に、シンカ環１の側面に面しており、前記選択部１０を非作動位置から作動位置へ移動させるべく前記選択部１０を命令により係合させることが可能な選択駆動部１１を備えている。
【００１６】
より詳細には、選択部１０は平坦な形状を有しており、軸１ａから遠ざかる方向へ向き、シンカ環１の側面に沿った対応するラジアルスロット４の延長部内側に収容されている。前記選択部１０は細長い形状を有しており、非作動位置から作動位置へ移動する際に前記軸に対して傾斜が生じることを除いて軸１ａと略平行に配置されている。選択部１０はその配置面上、即ちシンカ環１のラジアル面上で、選択部の下端近傍に配置されている選択部軸１０ａ回りに揺動することができる。
【００１７】
この目的のために、選択部１０の下端は、シンカ環１と同軸的に配置された支持環１３の内側に形成されているシート１２内に回転可能に結合された円形形材を有している。支持環１３はシンカキャップ３に固定されており、該支持環１３と前記シンカ環１との間には軸受け１４が介装されている。
【００１８】
選択部１０は、シンカ環１の軸１ａ回りに円周上を滑動できるようにシート１２内に結合され、これにより選択部１０が軸１ａ回りで回転運動を行うシンカ環１に付随して、回転の間もシンカキャップ３と共に静止したままである支持環１３のシート１２内を滑動することが好都合である。
【００１９】
選択部１０はシンカ環１の軸１ａから遠ざかる方向へ向いた側に少なくとも一つの選択ヒール１５を有しており、該選択ヒール１５は選択的に係合されることができる、即ち選択部１０を非作動位置から作動位置へ移動させるべく、又は選択部１０を非作動位置に保持すべく選択駆動部１１により係合／非係合されることができる。シンカ環１が取付けられている隣接する選択部１０は、該選択部１０に対する選択駆動部１１の種々の干渉を必要に応じて可能とすべく相異なる高さに配置された選択又は選択ヒール１５を有している。選択駆動部１１には、選択ヒール１５の高さに適合すべく相異なる高さに配置された選択レバー１６が設けられている。該選択レバー１６は、対応する選択部１０が作動位置へ移動するべきか又は非作動位置に保持されるべきかに応じて、対応する選択ヒール１５と干渉／非干渉すべく命令により移動することができる。
【００２０】
選択レバー１６は機械的、磁気的、空気圧式、電磁気的な手段又はその他の公知の駆動手段を用いて選択的に干渉すべく、即ち対応する選択ヒール１５と干渉／非干渉すべく駆動制御可能であり、また必要に応じて、図示のような移動又は揺動を行うことができるように設けられ得る。選択駆動部１１は、便宜上図示されていない電子式駆動制御要素と機能的に接続されており、該電子式駆動制御要素は装置全体の動作を管理し、予め設定されている作業プログラムに従って選択レバー１６を選択ヒール１５と干渉／非干渉させるべく駆動する。
【００２１】
各選択部１０は、シンカ環１のラジアルスロット４内に夫々配置されており、選択部１０と対応するシンカ５との間に介装されている押出し部２０を用いてシンカ５に接続されていることが望ましい。
【００２２】
該押出し部２０はヒール２０ａを有しており、該ヒール２０ａは、シンカ環１の対応するラジアルスロット４から上方へ突出しており、シンカ環１の上方領域に面しシンカキャップ３に連結された押出し部駆動カム２１を係合させることができる。
【００２３】
該押出し部駆動カム２１は以下に詳述されるように、各押出し部２０のヒール２０ａに対して少なくとも二本の分散通路を形成する。ここで少なくとも二本の分散経路とは即ち、押出し部２０に作用する選択部１０が作動位置にあるか又は非作動位置にあるかに応じて該押出し部２０のヒール２０ａに選択的に係合可能な第１通路及び第２通路である。
【００２４】
押出し部２０は、シンカ環１の軸１ａに向けて突出しており対応するラジアルスロット４の底部と対応するシンカ５の基部との間に配置されている部分を有している。より詳細には、押出し部２０は略Ｌ字型であり、Ｌ字型の一方のアーム２０ｂは対応するラジアルスロット４の底部上に位置し、Ｌ字型の他方のアーム２０ｃは対応するラジアルスロット４の底部から立ち上がり対応する選択部１０に面していることが望ましい。押出し部２０の前記アーム２０ｃは上方へ向いたその端にヒール２０ａを有しており、該ヒール２０ａは上方へ向けて先細りになっていることが望ましい。
【００２５】
押出し部駆動カム２１は第１カム３０を備えており、該第１カム３０は選択駆動部１１に隣接して配置されており二つの作動形材を備えている。ここで二つの作動形材とは即ち、軸１ａの方へ向いた第１作動形材３０ａ、及び軸１ａから遠ざかる方向へ向いた第２作動形材３０ｂである。前記第１作動形材３０ａは押出し部２０のヒール２０ａのための第１通路を画定し、対応する選択部１０が作動位置にある押出し部２０のヒール２０ａにより係合する。一方、前記第２作動形材３０ｂは、押出し部２０のヒール２０ａのための第２通路を画定し、選択部１０が非作動位置にある押出し部２０のヒール２０ａにより係合する。実際に、該押出し部２０のヒール２０ａが第１作動形材３０ａを越えるまで通過した場合、対応する押出し部２０はシンカ５に作用し、編製品を形成する間、タオル編を形成する軸１ａへ向けてシンカ５を更に移動させる。一方、ヒール２０ａと第２作動形材３０ｂとを係合させる押出し部２０はシンカ５に対して作用せず、該シンカ５はタオル編とは異なる平編又はその他の編目を形成すべく編機又は靴下類編機上に通常設けられるカム６によってのみ駆動される。
【００２６】
押出し部２０を駆動するカムはリセットカム３１を備えており、該リセットカム３１は、シンカキャップ３に対してシンカ環１の回転方向４０に沿った第１カム３０の下流に配置されており、軸１ａから遠ざかる方向へ徐々に移動する作動形材３１ａを有している。カム３１の前記作動形材３１ａはカム３０の第１作動形材３０ａに連動する押出し部２０のヒール２０ａによってのみ係合することができ、選択駆動部１１の部分上で再び選択を受けるべく、対応する選択部１０が作動位置から非作動位置へ移動するまで対応する押出し部２０を軸１ａから遠ざかる方向へ移動させることを意図している。
【００２７】
図示された実施の形態は、二つのフィード領域と、一方向４０及び逆方向５０への自軸回りの針シリンダの回転に共に使用される装置の一つのフィード領域に配置された選択駆動部１１と、装置の別のフィード領域又はドロップ領域に配置された別の選択駆動部１１１とを有した靴下類円形編機に関する。針シリンダ２の自軸回りの両回転方向４０及び５０に針７を送るために使用される装置のフィード領域又はドロップ領域を参照して、針シリンダ２の自軸１ａ回りの両回転方向４０，５０に針７を送るために使用される装置のドロップ領域又はフィード領域を通過するシンカ環１のラジアル面４１に対して略対称的に配置されている、第１カム３０，１３０及びリセットカム３１，１３１から夫々構成される二セットの押出し部駆動カム２１があることが望ましい。選択駆動部１１は、選択、即ち選択部１０の選択ヒール１５に対する選択レバー１６の干渉／非干渉が実質的に前記ラジアル面４１において行われるように、装置の前記フィード領域又はドロップ領域に配置される。
【００２８】
尚、説明の完全を期すため、装置はシンカキャップ３の位置、更には軸１ａ回りのシンカキャップ３に関連する駆動カムの位置を調整することが可能な公知の装置４２を備えることにより、各要素、即ち作業要求に従って前記カムにより駆動されるシンカ５及び押出し部２０に対する前記駆動カムの干渉を必要に応じて早めたり遅めたりすることができる。
【００２９】
更に、装置の別のフィード領域に配置された選択駆動部１１１の下流において、上述したカム３０及び３１と同様、押出し部駆動カム２３０及び２３１がシンカキャップ３に連結されている。
【００３０】
本発明に係る装置の動作は以下の通りである。
【００３１】
便宜上、針シリンダ２及びシンカ環１が方向４０に回転する際の、選択駆動部１１が機能する装置のフィード領域又はドロップ領域を参照して装置の動作を説明する。当然、選択駆動部１１１が機能するフィード領域又はドロップ領域においても同様の動作が行われる。
【００３２】
タオル編とは異なる平編又はその他の何れかの場合の編目を形成する際に特定のシンカ５が針７と協動すべきである場合、選択駆動部１１は前記選択レバー１６で対応する選択部１０の選択ヒール１５に作用しない。この方法において、選択部１０は非作動位置に留まり、対応するシンカ５は、それ自体は公知の方法によりシンカ駆動カム６のみにより駆動される。この状態において、押出し部２０は実際に前記ヒール２０ａが第１カム３０の第２作動形材３０ｂを越えるまで通過し、従って図１及び図２に示されるように対応するシンカ５の移動に作用しない。
【００３３】
シンカ５が針７と協動してタオル編を形成するように作動されるべきである場合、選択駆動部１１は対応する選択部１０の選択ヒール１５に対して選択レバー１６により作用し、選択部１０を非作動位置から作動位置へ移動させる。この移動の結果、押出し部２０はシンカ環１の軸１ａに向けて移動し、前記ヒール２０ａが第１カム３０の第１作動形材３０ａを越えるまで通過する。形材３０ａは押出し部２０を軸１ａに向けて更に移動させ、図３及び図４に示されるように、シンカ駆動カム６のみを用いてシンカ５に生じる変位よりも更にシンカ５を軸１ａに向けて押し出す。
【００３４】
第１作動形材３０ａを通過した押出し部２０のヒール２０ａは続いて、該押出し部２０を軸１ａから遠ざかる方向へ移動させるリセットカム３１を係合させ、押出し部２０を初期状態へ、また対応する選択部１０を非作動位置へ戻して、次の選択駆動部、例えば図１及び図３における駆動部１１１を用いて再び選択され得る状態にする。
【００３５】
針シリンダ２及びシンカ環が回転方向５０に作動された場合、上述した同種の動作が行われる。この場合、押出し部２０に作用するカムは、カム３０及び３１と同様のカム１３０及び１３１から構成される。
【００３６】
本発明に係る装置は従来のシンカを使用するにも拘らずシンカを個々に選択することを可能とし、意図された目標及び目的を実際完全に達成された。
【００３７】
尚、本発明に係る選択装置はタオル編又はタオル編とは異なる編目を形成すべく駆動されるシンカの選択を参照して説明されてきたが、本発明に係る選択装置はまた例えば混紡編のような他種の編み方のためのシンカの多様な運動を得るために使用することもできる。
【００３８】
このように考案された装置には数多くの修正及び変更を行うことができ、その全ては添付の特許請求の範囲内に含まれる。すべての細部は、技術的に等価である他の要素で更に代用してもよい。
【００３９】
実際に、使用する材料及び寸法は、要求に従って、また技術の状態に従って如何なるものとしてもよい。
【図面の簡単な説明】
【００４０】
【図１】平編を形成する際のシンカの作動を示す、本発明に係る装置が取付けられている靴下類円形編機のシンカ環の略図である。
【図２】図１の軸ＩＩ−ＩＩに沿った拡大断面図である。
【図３】タオル編を形成する際のシンカの作動を示す、図１と同様のシンカ環の図である。
【図４】図３の面ＩＶ−ＩＶに沿った拡大断面図である。
【符号の説明】
【００４１】
１  シンカ環
１ａ  軸
２  針シリンダ
３  シンカキャップ
４  ラジアルスロット
５  シンカ
５ａ  ヒール
６  シンカ駆動カム
１０  選択部
１０ａ  軸
１１  選択駆動部
１２  シート
１３  支持環
１５  選択ヒール
１６  選択レバー
２０  押出し部
２０ａ  ヒール
２０ｂ,２０ｃ  アーム
２１  押出し部駆動カム
３１  リセットカム
４０,５０  回転方向
４１  ラジアル面
【図１】
0004628063.tif 000002
【図２】
0004628063.tif 000003
【図３】
0004628063.tif 000004
【図４】
0004628063.tif 000005